(57)【要約】【課題】本発明は、ユーザの好みに合わせた表示形態豊富なコンテンツを閲覧者に提供できるようにする。【解決手段】本発明は、画像表示枠を形成する複数のコマと当該コマの表示形態を制御するための複数種類の操作対象を設け、複数のコマに対して表示すべき画像が指定されたＳＭＩＬファイル形式の実内容画面Ｐ２１をＳＭＩＬファイルサーバ５４で保持し、複数の操作対象に対応するコマの大きさ及び配置が異なる複数の次ページを構成する実内容画面Ｐ２２又はＰ２３をＳＭＩＬファイルサーバ５４で保持し、通信対象の閲覧コンピュータ５５の閲覧表示部１０１に１ページ目の実内容画面Ｐ２１を表示中、複数種類の操作対象の何れかが選択されると、その選択された操作対象に対応する次ページの実内容画面Ｐ２２又はＰ２３を閲覧コンピュータ５５へ送信して表示させることができる。【選択図】図５
2007148673.tif 000002
【特許請求の範囲】
【請求項１】
画像表示枠を形成する複数のコマと当該コマの表示形態を制御するための複数種類の操作対象とが設けられ、当該複数のコマに対してそれぞれ表示すべき画像が指定された所定ファイル形式のページ画面を保持するページ画面保持手段と、
上記複数種類の操作対象にそれぞれ対応付けられた上記コマの大きさ及び配置が異なる複数の次ページ画面を保持する次ページ画面保持手段と、
通信対象のコンテンツ表示装置の表示部に上記ページ画面を表示中、上記複数種類の操作対象の何れかが選択されたことを認識すると、当該選択された上記操作対象に対応付けられている上記次ページ画面を上記コンテンツ表示装置へ送信して上記表示部に表示させる画面配信制御手段と
を具えることを特徴とするコンテンツ提供装置。
【請求項２】
上記画面配信制御手段は、上記ページ画面又は上記次ページ画面における上記コマが指定されたことを認識すると、当該指定されたコマに対応付けられた動画ファイルを上記コンテンツ表示装置へ送信し、当該コマの上記画像表示枠に上記動画ファイルをストリーミング再生させる
ことを特徴とする請求項１に記載のコンテンツ提供装置。
【請求項３】
上記ページ画面及び上記次ページ画面は、ＳＭＩＬ（Synchronized Multimedia Integration Language）ファイルで生成されている
ことを特徴とする請求項１に記載のコンテンツ提供装置。
【請求項４】
画像表示枠を形成する複数のコマと当該コマの表示形態を制御するための複数種類の操作対象とが設けられ、当該複数のコマに対してそれぞれ表示すべき画像が指定された所定ファイル形式のページ画面を所定のコンテンツ提供装置から受信して表示する表示手段と、
上記複数種類の操作対象の何れかを選択する操作手段と、
上記複数種類の操作対象の何れかが選択されたことに応じた要求信号を上記コンテンツ提供装置へ送信し、上記複数種類の操作対象にそれぞれ対応付けられた上記コマの大きさ及び配置が異なる複数の次ページ画面の中から、上記要求信号に対応する上記次ページ画面を上記コンテンツ提供装置から受信する通信手段と
を具えることを特徴とするコンテンツ表示装置。
【請求項５】
コンテンツ提供装置と当該コンテンツ提供装置から配信されるコンテンツを受信して表示するコンテンツ表示装置とからなるコンテンツ配信システムであって、
上記コンテンツ提供装置は、
画像表示枠を形成する複数のコマと当該コマの表示形態を制御するための複数種類の操作対象とが設けられ、当該複数のコマに対してそれぞれ表示すべき画像が指定された所定ファイル形式のページ画面を保持するページ保持手段と、
上記複数種類の操作対象にそれぞれ対応付けられた上記コマの大きさ及び配置が異なる複数の次ページ画面を保持する次ページ画面保持手段と、
通信対象の上記コンテンツ表示装置の表示部に上記ページ画面を表示中、上記複数種類の操作対象の何れかが選択されたことを認識すると、当該選択された上記操作対象に対応付けられている上記次ページ画面を上記コンテンツ表示装置へ送信して上記表示部に表示させる画面配信制御手段と
を具え、
上記コンテンツ表示装置は、
上記ページ画面を上記コンテンツ提供装置から受信して表示する表示手段と、
上記ページ画面に設けられた上記複数種類の操作対象の何れかを選択する操作手段と、
上記複数種類の操作対象の何れかが選択されたことに応じた要求信号を上記コンテンツ提供装置へ送信し、上記複数の次ページ画面の中から上記要求信号に対応する上記次ページ画面を上記コンテンツ提供装置から受信する通信手段と
を具えることを特徴とするコンテンツ配信システム。
【発明の詳細な説明】
【技術分野】
【０００１】
本発明は、コンテンツ提供装置、コンテンツ表示装置及びコンテンツ配信システムに関し、例えばＳＭＩＬ（Synchronized Multimedia Integration Language）ファイルを使用して動画コンテンツをストリーミング再生する場合に適用して好適なものである。
【背景技術】
【０００２】
従来、コンテンツ受信側のクライアント端末装置では、インターネットなどのネットワークを通じてコンテンツ提供側のサーバから映像や音声等のコンテンツをダウンロードして視聴する際、そのコンテンツの全データを受信し終わるまで待たねばならず、転送速度の低い例えば電話回線等では閲覧することは困難であったが、コンテンツデータを受信しながら同時に再生を行うストリーミング方式によれば、低速な回線であってもコンテンツのリアルタイム再生が可能となるために、そのようなストリーミング方式の利用形態が一般的になっている。
【０００３】
また、電子書籍のイメージ情報や内容情報を携帯型情報端末装置にストリーミング再生するようになされた電子情報配信システムがある（例えば、特許文献１参照）。
【特許文献１】特開2004-199185公報
【発明の開示】
【発明が解決しようとする課題】
【０００４】
ところでかかる構成の電子情報配信システムにおいては、携帯型情報端末装置の表示画面に表示する電子書籍のイメージ情報や内容情報に対する表示形態にバリエーションはなく、単一の表示形態に限られているため、エンターテインメント性に乏しいという問題があった。
【０００５】
本発明は以上の点を考慮してなされたもので、ユーザの好みに合わせた表示形態豊富なコンテンツを閲覧者に提供し得るエンターテインメント性に優れたコンテンツ提供装置、コンテンツ表示装置及びコンテンツ配信システムを提案しようとするものである。
【課題を解決するための手段】
【０００６】
かかる課題を解決するため本発明においては、画像表示枠を形成する複数のコマと当該コマの表示形態を制御するための複数種類の操作対象とが設けられ、当該複数のコマに対してそれぞれ表示すべき画像が指定された所定ファイル形式のページ画面を保持するページ画面保持手段と、複数種類の操作対象にそれぞれ対応付けられたコマの大きさ及び配置が異なる複数の次ページ画面を保持する次ページ画面保持手段と、通信対象のコンテンツ表示装置の表示部にページ画面を表示中、複数種類の操作対象の何れかが選択されたことを認識すると、当該選択された操作対象に対応付けられている次ページ画面をコンテンツ表示装置へ送信して表示部に表示させる画面配信制御手段とを設けるようにする。
【０００７】
これによりコンテンツ提供装置は、ページ画面に設けられた複数種類の操作対象に対するユーザの選択結果に応じて、コマの大きさ及び配置が異なる次ページ画面が表示されることになるため、ユーザの好みに合わせた表示形態でなる複数種類の次ページ画面を提供することができる。
【０００８】
また本発明においては、画像表示枠を形成する複数のコマと当該コマの表示形態を制御するための複数種類の操作対象とが設けられ、当該複数のコマに対してそれぞれ表示すべき画像が指定された所定ファイル形式のページ画面を所定のコンテンツ提供装置から受信して表示する表示手段と、複数種類の操作対象の何れかを選択する操作手段と、複数種類の操作対象の何れかが選択されたことに応じた要求信号をコンテンツ提供装置へ送信し、複数種類の操作対象にそれぞれ対応付けられたコマの大きさ及び配置が異なる複数の次ページ画面の中から、要求信号に対応する次ページ画面をコンテンツ提供装置から受信する通信手段とを設けるようにする。
【０００９】
これによりコンテンツ表示装置は、ページ画面に設けられた複数種類の操作対象に対するユーザの選択結果に応じて、コマの大きさ及び配置が異なる次ページ画面をダウンロードすることができるため、ユーザの好みに合わせた表示形態でなる複数種類の次ページ画面を表示することができる。
【００１０】
さらに本発明においては、コンテンツ提供装置と当該コンテンツ提供装置から配信されるコンテンツを受信して表示するコンテンツ表示装置とからなるコンテンツ配信システムであって、コンテンツ提供装置は、画像表示枠を形成する複数のコマと当該コマの表示形態を制御するための複数種類の操作対象とが設けられ、当該複数のコマに対してそれぞれ表示すべき画像が指定された所定ファイル形式のページ画面を保持するページ画面保持手段と、複数種類の操作対象にそれぞれ対応付けられたコマの大きさ及び配置が異なる複数の次ページ画面を保持する次ページ画面保持手段と、通信対象のコンテンツ表示装置の表示部にページ画面を表示中、複数種類の操作対象の何れかが選択されたことを認識すると、当該選択された操作対象に対応付けられている次ページ画面をコンテンツ表示装置へ送信して表示部に表示させる画面配信制御手段とを具え、コンテンツ表示装置は、ページ画面をコンテンツ提供装置から受信して表示する表示手段と、ページ画面に設けられた複数種類の操作対象の何れかを選択する操作手段と、複数種類の操作対象の何れかが選択されたことに応じた要求信号をコンテンツ提供装置へ送信し、複数の次ページ画面の中から要求信号に対応する次ページ画面をコンテンツ提供装置から受信する通信手段とを設けるようにする。
【００１１】
これによりコンテンツ配信システムでは、ページ画面に設けられた複数種類の操作対象に対するユーザの選択結果に応じて、コマの大きさ及び配置が異なる次ページ画面をコンテンツ提供装置からコンテンツ表示装置へダウンロードさせることができるため、ユーザの好みに合わせた表示形態でなる複数種類の次ページ画面を提示することができる。
【発明の効果】
【００１２】
本発明によれば、ページ画面に設けられた複数種類の操作対象に対するユーザの選択結果に応じて、コマの大きさ及び配置が異なる次ページ画面をコンテンツ提供装置からコンテンツ表示装置へダウンロードさせることができるため、ユーザの好みに合わせた表示形態でなる複数種類の次ページ画面を提示し得、かくしてユーザの好みに合わせた表示形態でコンテンツを提供可能なエンターテインメント性に優れたコンテンツ提供装置、コンテンツ表示装置及びコンテンツ配信システムを実現することができる。
【発明を実施するための最良の形態】
【００１３】
以下、図面について、本発明の一実施の形態を詳述する。
【００１４】
（１）ムービーコミックスの基本概念
（１−１）ムービーコミックスの概要
本発明におけるムービーコミックスとは、マルチメディアコンテンツ再生プログラムに従ってクライアント端末装置であるコンテンツ表示装置の表示画面上に表示される漫画と動画とを融合した新しい形態のコンテンツのことである。
【００１５】
このムービーコミックスは、図１に示すように、表示画面全体の大枠であるページＰＧと、動画ファイルを再生する領域であるコマＣ１〜Ｃ６と、そのコマＣ１〜Ｃ６で再生する動画ファイルと、その動画ファイルの最初に表示される静止画をキャプチャした静止画ファイルとから構成される集合体であり、最初の状態では各コマＣ１〜Ｃ６に動画ファイルの静止画が表示されている。
【００１６】
従ってムービーコミックスは、ページＰＧの各コマＣ１〜Ｃ６に漫画のような吹き出しは存在しないが、各コマＣ１〜Ｃ６における静止画を一度に全て提示することが出来るので、将来のストーリー展開を各コマＣ１〜Ｃ６の静止画を介してユーザに大まかに認識させ得ると共に、興味を掻きたてるようになされている。
【００１７】
コンテンツ表示装置は、マルチメディアコンテンツ再生プログラムに従って、ムービーコミックスにおけるコマＣ１〜Ｃ６の静止画が順次クリックされると、当該コマＣ１〜Ｃ６に対してそれぞれ割り当てられた動画ファイルをストリーミングサーバから受信して順次再生し、その動画ファイルの再生が終了すると、再生終了時の静止画を表示するようになされている。
【００１８】
このようにムービーコミックスは、各コマＣ１〜Ｃ６に静止画を表示しているだけの状態では、あたかも漫画のようなページＰＧであるが、各コマＣ１〜Ｃ６がクリックされることに応じて、そのコマＣ１〜Ｃ６に割り当てられた動画ファイルをストリーミング再生し、当該コマＣ１〜Ｃ６の中で再生される動画を音声と共にユーザに視聴させることにより、その内容を認識させ得るようになされている。
【００１９】
ここでコンテンツ表示装置は、マルチメディアコンテンツ再生プログラムに従って、コマＣ１〜Ｃ６の領域、当該コマＣ１〜Ｃ６と静止画ファイルとの関連付け、コマＣ１〜Ｃ６とそのコマＣ１〜Ｃ６で再生する動画ファイルとの関連付け等に関する種々の情報を管理しているＳＭＩＬ（Synchronized Multimedia Integration Language）ファイルを参照し、そのＳＭＩＬファイルを基に動画ファイルの再生を行うようになされている。
【００２０】
（１−２）ＳＭＩＬファイルの概要
このＳＭＩＬとは、いわゆるＨＴＭＬ（Hypertext Markup Language）のようなタグが用いられ、動画ファイルや静止画ファイル等のマルチメディアデータを管理するための記述言語である。
【００２１】
次に、図２に示すように、例えばＳＭＩＬファイルＳＦの具体的内容について説明する。このＳＭＩＬファイルＳＦにおけるタグＴＡＧ１は、コマＣ１〜Ｃ６（図１）の識別名、コマＣ１〜Ｃ６の領域を形成している１点の座標、コマＣ１〜Ｃ６の幅及び高さを指定しており、これによりページＰＧ（図１）におけるコマＣ１〜Ｃ６の位置と大きさを管理するようになされている。
【００２２】
またＳＭＩＬファイルＳＦにおけるタグＴＡＧ２は、静止画ファイルの保存先、静止画ファイルの識別名、ページＰＧの中で静止画を配置するコマＣ１〜Ｃ６を指定しており、これにより静止画ファイルをページＰＧ内で表示する際の位置と表示すべき静止画ファイルの名称を管理するようになされている。
【００２３】
さらにＳＭＩＬファイルＳＦにおけるタグＴＡＧ３は、動画ファイルの保存先、動画ファイルの識別名、ページＰＧの中で動画ファイルを再生するコマＣ１〜Ｃ６、動画ファイルの再生時における動画ファイルの再生開始位置及び動画ファイルを再生するトリガを指定しており、これにより、動画ファイルを再生すべきコマＣ１〜Ｃ６、動画ファイルの名称、動画ファイルの再生開始位置、動画ファイルの再生タイミングを管理するようになされている。
【００２４】
なお、ＳＭＩＬファイルＳＦは、テキスト形式で記述されており、作成済みのＳＭＩＬファイルＳＦをさらに編集することができ、編集前のＳＭＩＬファイルＳＦと編集後のＳＭＩＬファイルＳＦとではムービーコミックスの表示形態を変更することが可能である。
【００２５】
（１−３）コマの表示形態
図３（Ａ）に示すように、コンテンツ表示装置は、ページＰＧを構成している例えばコマＣ３に対する動画ファイルの再生を終了し、次にコマＣ４の静止画がクリックされたことに応じて当該コマＣ４に対する動画ファイルの再生を開始したとき、図３（Ｂ）に示すようにコマＣ４に対する映像を次第にズームアップしながら表示することもできる。
【００２６】
また、図４（Ａ）に示すように、コンテンツ表示装置は、ページＰＧを構成している例えばコマＣ１に対する動画ファイルの再生を開始した時点ではフォーカスを人物に合わせていないが、図４（Ｂ）に示すように次第にフォーカスを人物に合わせていくようにすることにより、漫画のような静止画だけの表示形態とは異なり、動画としての特性を持たせた表示形態で提示することができるので、ユーザの注意を一段と引き付けることができる。
【００２７】
（２）コンテンツ配信システム
（２−１）コンテンツ配信システムの全体構成
図５において、５は全体として本発明のコンテンツ配信システムを示し、上述したムービーコミックスを制作するための制作側６と、当該ムービーコミックスを閲覧するための閲覧側７に大きく分けられる。
【００２８】
コンテンツ配信システム５の制作側６では、ムービーコミックスを構成している動画ファイルを編集する（例えば、動画ファイルをキャプチャして静止画ファイルを取得する）ための動画編集コンピュータ５１と、当該編集した動画ファイル及び当該静止画ファイルの再生タイミングを決定し、ページＰＧを形成するコマＣ１〜Ｃ６のレイアウト設計を行い、その結果得られる設定内容のファイルをＳＭＩＬファイル形式に変換（すなわちオーサリング処理）して出力するオーサリングコンピュータ５２と、当該ＳＭＩＬファイルＳＦ及び当該静止画ファイルを保存するＳＭＩＬファイルサーバ５４と、当該動画ファイルを保存するストリーミングサーバ５３とによって構成され、閲覧側７ではムービーコミックスを再生するコンテンツ表示装置としての閲覧コンピュータ５５によって構成されている。
【００２９】
（２−２）動画編集コンピュータの回路構成
図６に示すように、動画編集コンピュータ５１は、ＣＰＵ(Central Processing Unit)構成でなる動画編集制御部６３が全体を統括制御しており、キーボード等でなる動画編集操作部６２から入力される動作命令を動画編集制御部６３で受け取り、その動作命令に応じて、ハードディスク等でなる動画編集記憶部６４に保存されている動画編集プログラムを起動し、動画編集ディスクドライブ６５に装填されたＤＶＤ（Digital Versatile Disk）等の記録媒体から上述のムービーコミックスを構成する動画ファイルを読み出し、当該動画ファイルの映像を編集対象として動画編集表示部６１に表示するようになされている。
【００３０】
また、動画編集コンピュータ５１の動画編集制御部６３は、動画編集表示部６１に表示された当該動画ファイルの映像を編集者に対して目視確認させながら、動画編集操作部６２から入力される動作命令に応じて、当該動画ファイルの映像を編集するようになされている。
【００３１】
そして動画編集コンピュータ５１の動画編集制御部６３は、当該動画編集プログラムを利用して編集した結果得られる動画ファイル及び静止画ファイルを動画編集記憶部６４に保存したり、当該動画ファイルを動画編集通信処理部６６を介してストリーミングサーバ５３にアップロードすると共に当該静止画ファイルを動画編集通信処理部６６を介してＳＭＩＬファイルサーバ５４にアップロードするようになされている。
【００３２】
（２−３）オーサリングコンピュータの回路構成
図７に示すようにオーサリングコンピュータ５２は、ＣＰＵ構成でなるオーサリング制御部７３が全体を統括制御しており、キーボード等でなるオーサリング操作部７２から入力される操作命令をオーサリング制御部７３で受け取り、その操作命令に応じて、オーサリング記憶部７４に保存されているオーサリングプログラムを起動し、当該オーサリングプログラムによって提示されるオーサリング操作画面をオーサリング表示部７１に表示するようになされている。
【００３３】
またオーサリングコンピュータ５２のオーサリング制御部７３は、オーサリング表示部７１に表示された当該オーサリング操作画面をユーザに対して目視確認させながら、オーサリング操作部７２から入力される操作命令に応じて、オーサリング処理を実行するようになされている。
【００３４】
そしてオーサリングコンピュータ５２のオーサリング制御部７３は、オーサリング操作部７２から入力される操作命令を受け取り、その操作命令に応じて、オーサリング処理を実行した結果得られるＳＭＩＬファイルＳＦをオーサリング記憶部７４に保存したり、オーサリング通信処理部７６を介してＳＭＩＬファイルサーバ５４にアップロードするようになされている。
【００３５】
ところで、オーサリングコンピュータ５２のオーサリング制御部７３は、オーサリング操作部７２から入力される操作命令を受け取り、その操作命令に応じて、オーサリング記憶部７４に保存されているテキストエディタを起動することにより、当該テキストエディタ画面をオーサリング表示部７１に表示し、ユーザに対して目視確認させながら、オーサリング操作部７２から入力される操作命令に応じてＳＭＩＬファイルＳＦを生成及び編集し、オーサリング記憶部７４に保存したり、オーサリング通信処理部７６を介してＳＭＩＬファイルサーバ５４にアップロードすることもできるようになされている。
【００３６】
（２−４）ストリーミングサーバの回路構成
図８に示すように、ストリーミングサーバ５３は、ＣＰＵ構成でなるストリーミング制御部８１が全体を統括制御しており、閲覧コンピュータ５５からのダウンロード要求命令をストリーミング通信処理部８３を介してストリーミング制御部８１が受け取り、そのダウンロード要求命令に応じて、ストリーミング記憶部８２に保存されている動画ファイルを閲覧コンピュータ５５へストリーム配信するようになされている。
【００３７】
また、ストリーミングサーバ５３のストリーミング制御部８１は、ストリーミング通信処理部８３を介して受信した動画編集コンピュータ５１のアップロード要求命令に応じて、動画編集コンピュータ５１の動画編集記憶部６４に保存されている動画ファイルをストリーミング記憶部８２に保存するようになされている。
【００３８】
（２−５）ＳＭＩＬファイルサーバの回路構成
図９に示すように、ＳＭＩＬファイルサーバ５４は、ＣＰＵ構成でなるＳＭＩＬ制御部９１が全体を統括制御しており、閲覧コンピュータ５５のダウンロード要求命令をＳＭＩＬ通信処理部９３を介してＳＭＩＬ制御部９１が受け取り、そのダウンロード要求命令に応じて、ＳＭＩＬ記憶部９２に保存されているＳＭＩＬファイルＳＦや当該ＳＭＩＬファイルＳＦに関連付けられた静止画ファイルをＳＭＩＬ通信処理部９３を介して閲覧コンピュータ５５へ配信するようになされている。
【００３９】
また、ＳＭＩＬファイルサーバ５４のＳＭＩＬ制御部９１は、ＳＭＩＬ通信処理部９３を介して受信した動画編集コンピュータ５１又はオーサリングコンピュータ５２のアップロード要求命令に応じて、動画編集コンピュータ５１の動画編集記憶部６４に保存されている静止画ファイル又は、オーサリングコンピュータ５２のオーサリング記憶部７４に保存されているＳＭＩＬファイルＳＦをＳＭＩＬ通信処理部９３を介して受け取り、ＳＭＩＬ記憶部９２に保存するようになされている。
【００４０】
（２−６）閲覧コンピュータの回路構成
図１０に示すように、閲覧コンピュータ５５は、ＣＰＵ構成でなる閲覧制御部１０３が全体を統括制御しており、キーボード等でなる閲覧操作部１０２から入力されるダウンロード要求命令を閲覧制御部１０３で受け取り、そのダウンロード要求命令に応じて、ＳＭＩＬファイルサーバ５４のＳＭＩＬ記憶部９２に保存されているＳＭＩＬファイルＳＦを閲覧通信処理部１０６を介してダウンロードするようになされている。
【００４１】
また、閲覧コンピュータ５５の閲覧制御部１０３は、当該ＳＭＩＬファイルＳＦが閲覧通信処理部１０６を介してダウンロードされたことを認識すると、閲覧記憶部１０４に保存されているマルチメディアコンテンツ再生プログラムを起動し、当該マルチメディアコンテンツ再生プログラムによるムービーコミックス表示画面を閲覧表示部１０１に表示するようになされている。
【００４２】
そして、閲覧コンピュータ５５の閲覧制御部１０３は、当該マルチメディアコンテンツ再生プログラムを介して、ＳＭＩＬファイルＳＦを読み込み、ムービーコミックスを形成するために必要とする静止画ファイルのダウンロード要求命令を受け取り、当該ＳＭＩＬファイルＳＦに関連付けられている静止画ファイルをＳＭＩＬファイルサーバ５４のＳＭＩＬ記憶部９２から閲覧通信処理部１０６を介してダウンロードするようになされている。
【００４３】
さらに、閲覧コンピュータ５５の閲覧制御部１０３は、当該マルチメディアコンテンツ再生プログラムによるムービーコミックス表示画面をユーザに対して目視確認させながら、閲覧操作部１０２から入力されるコマＣ１〜Ｃ６に対するストリーム配信要求命令を受け取り、そのストリーム配信要求命令に応じて、ストリーミングサーバ５３のストリーミング記憶部８２に保存されている動画ファイルを閲覧通信処理部１０３を介してストリーミング再生するようになされている。
【００４４】
（３）ムービーコミックス作成手順
（３−１）動画ファイルの生成
図１１に示すように、カメラマンがディジタルビデオカメラＶＣ１を用いて、撮影対象として例えば男性、女性及び自動車を撮影することにより、ディジタルビデオカメラＶＣ１内にある記録媒体（例えばＤＶＤ）に撮影結果の動画ファイルを保存する。
【００４５】
またディジタルビデオカメラＶＣ１は、撮影時にズームやフォーカスといった映像独特の撮影方法を使用して撮影することにより、独特の表現技法を使用した動画ファイルを保存することが可能であり、そのようにして動画ファイルの保存された記録媒体が動画編集コンピュータ５１（図６）の動画編集ディスクドライブ６５に装填され、編集対象として用いられるようになされている。
【００４６】
（３−２）動画ファイルの編集
図１２に示すように、動画編集コンピュータ５１の動画編集制御部６３は、動画編集操作部６２から入力される動作命令に応じて、動画編集記憶部６４に保存されている動画編集プログラムを起動し、動画編集ディスクドライブ６５に装填された記録媒体から動画ファイルを読み出し、当該動画編集プログラムによる編集画面を動画編集表示部６１に表示する。
【００４７】
動画編集コンピュータ５１の動画編集制御部６３は、動画編集表示部６１に表示された当該動画編集プログラムによる編集画面を編集者に対して目視確認させながら、動画編集操作部６２から入力される動作命令に応じて、動画ファイルの開始フレームを静止画ファイルとして作成したり、当該動画ファイルに対するエフェクト編集を行ない、編集結果の静止画ファイルや動画ファイルを動画編集記憶部６４に保存するようになされている。
【００４８】
（３−３）オーサリング処理
図１３に示すように、オーサリングコンピュータ５２（図７）のオーサリング制御部７３は、オーサリング操作部７２から入力される操作命令を受け取り、その操作命令に応じて、オーサリング記憶部７４に保存されているオーサリングプログラムを起動し、当該オーサリングプログラムによるオーサリング操作画面ＯＳＧをオーサリング表示部７１に表示する。
【００４９】
オーサリングコンピュータ５２のオーサリング制御部７３は、当該オーサリング操作画面ＯＳＧを編集者に対して目視確認させながら、オーサリング操作部７２から入力される操作命令を受け取り、その操作命令に応じて、オーサリング表示部７１に表示されているオーサリング操作画面ＯＳＧからムービーコミックスを構成するページＰＧ内におけるコマＣ１〜Ｃ６の配置と大きさ、当該ムービーコミックスを構成する動画ファイルＶ１〜Ｖ６及び静止画ファイルＩＭ１〜ＩＭ６の保存先とコマＣ１〜Ｃ６との関連について設定し、その設定内容を記述したＳＭＩＬファイルＳＦをオーサリング記憶部７４に保存する。
【００５０】
ちなみに、オーサリングコンピュータ５２のオーサリング制御部７３は、当該オーサリングプログラムではなく、オーサリング記憶部７４に保存されているテキストエディタを起動して、当該テキストエディタ画面を編集者に対して目視確認させながら、ＳＭＩＬファイルＳＦを生成し、当該ＳＭＩＬファイルＳＦをオーサリング記憶部７４に保存することも可能である。
【００５１】
またオーサリングコンピュータ５２のオーサリング制御部７３は、当該オーサリングプログラムを使用して生成したＳＭＩＬファイルＳＦを、オーサリング記憶部７４に保存されているテキストエディタを起動して、当該テキストエディタ画面を編集者に対して目視確認させながら編集させ、当該編集後のＳＭＩＬファイルＳＦをオーサリング記憶部７４に保存することも可能である。
【００５２】
（３−４）各種ファイルのアップロード処理
図１４に示すように、オーサリングコンピュータ５２のオーサリング制御部７３は、オーサリング操作部７２から入力されるアップロード要求命令を受け取り、そのアップロード要求命令に応じて、オーサリング記憶部７４に保存しているＳＭＩＬファイルＳＦをオーサリング通信処理部７５を介してＳＭＩＬファイルサーバ５４のＳＭＩＬ記憶部９２にアップロードする。
【００５３】
また動画編集コンピュータ５１の動画編集制御部６３は、動画編集操作部６２から入力されるアップロード要求命令を受け取り、そのアップロード要求命令に応じて、動画編集記憶部６４に保存されている静止画ファイルＩＭ１〜ＩＭ６を動画編集通信処理部６６を介してＳＭＩＬファイルサーバ５４のＳＭＩＬ記憶部９２にアップロードする。
【００５４】
そして動画編集コンピュータ５１の動画編集制御部６３は、動画編集操作部６２から入力されるアップロード要求命令を受け取り、そのアップロード要求命令に応じて、動画編集記憶部６４に保存されている動画ファイルＶ１〜Ｖ６を動画編集通信処理部６６を介してストリーミングサーバ５３のストリーミング記憶部８２にアップロードする。
【００５５】
これにより、閲覧コンピュータ５５がマルチメディアコンテンツ再生プログラムに従ってムービーコミックスを表示するために必要とするＳＭＩＬファイルＳＦ及び静止画ファイルＩＭ１〜ＩＭ６が、ＳＭＩＬファイルサーバ５４のＳＭＩＬ記憶部９２に保存されると共に、ムービーコミックスを構成するための動画ファイルＶ１〜Ｖ６がストリーミングサーバ５３のストリーミング記憶部８２に保存されることになる。
【００５６】
（４）ムービーコミックス表示手順
（４−１）ＳＭＩＬファイルのダウンロード
図１５に示すように、閲覧コンピュータ５５の閲覧制御部１０３は、閲覧操作部１０２から入力されるダウンロード要求命令Ｑ１を受け取り、そのダウンロード要求命令Ｑ１を閲覧通信処理部１０５を介してＳＭＩＬファイルサーバ５４へ送出する。
【００５７】
ＳＭＩＬファイルサーバ５４のＳＭＩＬ制御部９１はＳＭＩＬ通信処理部９３を介して受け取った閲覧コンピュータ５５のダウンロード要求命令Ｑ１に対応するＳＭＩＬファイルＳＦをＳＭＩＬ記憶部９２から読み出し、ＳＭＩＬ通信処理部９３を介して閲覧コンピュータ５５へ配信する。
【００５８】
（４−２）静止画ファイルのダウンロード
図１６に示すように、閲覧コンピュータ５５の閲覧制御部１０３は、ＳＭＩＬファイルＳＦがダウンロードしたことをトリガとして、閲覧記憶部１０４に保存されているマルチメディアコンテンツ再生プログラムを起動することにより、ＳＭＩＬファイルＳＦを読み込み、続いてＳＭＩＬファイルサーバ５３からムービーコミックスを形成するために必要とする静止画ファイルＩＭ１〜ＩＭ６のダウンロード要求命令Ｑ２を閲覧通信処理部１０５を介してＳＭＩＬファイルサーバ５４へ送出する。
【００５９】
ＳＭＩＬファイルサーバ５４のＳＭＩＬ制御部９１はＳＭＩＬ通信処理部９３を介して受け取った閲覧コンピュータ５５のダウンロード要求命令Ｑ２に応じて、静止画ファイルＩＭ１〜ＩＭ６をＳＭＩＬ記憶部９２から読み出しＳＭＩＬ通信処理部９３を介して閲覧コンピュータ５５へ配信する。
【００６０】
（４−３）ムービーコミックスの形成方法
図１７に示すように、閲覧コンピュータ５５の閲覧制御部１０３は、ＳＭＩＬファイルサーバ５４から閲覧通信処理部１０５を介して静止画ファイルＩＭ１〜ＩＭ６をダウンロードした後、ＳＭＩＬファイルＳＦに設定されている内容に従ってコマＣ１〜Ｃ６及び静止画ファイルＩＭ１〜ＩＭ６を組み合わせることによりマルチメディアコンテンツ再生プログラムによるムービーコミックス表示画面上にムービーコミックスを形成して表示する。
【００６１】
（４−４）動画ファイルのストリーミング
図１８に示すように、閲覧コンピュータ５５の閲覧制御部１０３は、マウス等の閲覧操作部１０２によりマルチメディアコンテンツ再生プログラムによるムービーコミックス表示画面上のコマＣ１〜Ｃ６のいずれかのコマが選択されたことをトリガとして、ＳＭＩＬファイルＳＦを読み取ることにより当該ＳＭＩＬファイルＳＦに記載されている当該選択された例えばコマＣ１に関連付けられた動画ファイルＶ１のファイル名称を取得し、当該動画ファイルＶ１のストリーム配信要求命令Q３を閲覧通信処理部１０５を介してストリーミングサーバ５３へ送出する。
【００６２】
ストリーミングサーバ５３のストリーミング制御部８１は、ストリーミング通信処理部８３を介して受け取った閲覧コンピュータ５５からのストリーム配信要求命令Ｑ３に対応した動画ファイルＶ１をストリーミング記憶部８２からストリーミング通信処理部８３を介して閲覧コンピュータ５５へストリーム配信する。
【００６３】
これにより閲覧コンピュータ５５の閲覧制御部１０３は、閲覧通信処理部９３を介して動画ファイルＶ１のコンテンツデータを受信し、当該コンテンツデータをマルチメディアコンテンツ再生プログラムによるムービーコミックス表示画面上のコマＣ１で再生し、以降同様に動画ファイルＶ２〜Ｖｎをムービーコミックス表示画面上のコマＣ２〜Ｃｎで再生し表示することができる。
【００６４】
（５）ムービーコミックス表示制御処理手順
次に、コンテンツ配信システム５における閲覧コンピュータ５５が実際にムービーコミックスをＳＭＩＬファイルサーバ５４及びストリーミングサーバ５３からダウンロードして表示するまでのムービーコミックス表示制御処理手順について、図１９のフローチャートを用いて説明する。
【００６５】
なおＳＭＩＬファイルサーバ５４のＳＭＩＬ記憶部９２には、この場合４つのＳＭＩＬファイルＳＦ１〜ＳＦ４及び、当該ＳＭＩＬファイルＳＦ１〜ＳＦ４によって指定された静止画ファイルＩＭ０〜ＩＭｎが保存されており、またストリーミングサーバ５３のストリーミング記憶部８２には当該ＳＭＩＬファイルＳＦ１〜ＳＦ４によって指定された動画ファイルＶ１〜Ｖｎが保存されているものとして以下説明する。
【００６６】
閲覧コンピュータ５５の閲覧制御部１０３は、閲覧操作部１０２からダウンロード要求命令Ｑ１を受け取ると、ルーチンＲＴ１の開始ステップから入って次のステップＳＰ１へ移る。
【００６７】
ステップＳＰ１において閲覧制御部１０３は、ＳＭＩＬファイルサーバ５４からＳＭＩＬファイルＳＦ１を取得して読み込み、ＳＭＩＬファイルサーバ５４からムービーコミックスを形成するために必要とする静止画ファイルＩＭ０を取得することにより、マルチメディアコンテンツ再生プログラムに従って、図２０に示すようなコマＣ０、送りボタンＰＢ１から構成されるムービーコミックス表紙画面Ｐ２０を閲覧表示部１０１に表示し、次のステップＳＰ２へ移る。
【００６８】
ステップＳＰ２において閲覧制御部１０３は、ムービーコミックス表紙画面Ｐ２０における送りボタンＰＢ１が押下操作されたか否かを判定し、ここで否定結果が得られると、ステップＳＰ２へ戻って送りボタンＰＢ１が押下操作されるまで待ち受けるのに対し、肯定結果が得られると次のステップＳＰ３へ移る。
【００６９】
ステップＳＰ３において閲覧制御部１０３は、既にダウンロード済みのＳＭＩＬファイルＳＦ１に続く次のＳＭＩＬファイルＳＦ２のダウンロード要求命令Ｑ１を受け取ると、ＳＭＩＬファイルサーバ５３からＳＭＩＬファイルＳＦ２及び当該ＳＭＩＬファイルＳＦ２に対応付けられた静止画ファイルＩＭ１〜ＩＭ６を順次取得することにより、マルチメディアコンテンツ再生プログラムのムービーコミックス表示画面上に、図２１に示すようなコマＣ１〜Ｃ６、コマの表示形態を制御するための操作対象である普通ボタンＰＢ１１及び激しくボタンＰＢ１２から構成される１ページ目の実内容画面Ｐ２１を表示し、次のステップＳＰ４へ移る。
【００７０】
ところで実内容画面Ｐ２１を形成するためのＳＭＩＬファイルＳＦ２は、図２との対応部分に同一符号を付した図２２に示すように、タグＴＡＧ１１により、普通ボタンＰＢ１１及び激しくボタンＰＢ１２の表示領域の識別名、当該表示領域を形成している１点の座標、当該表示領域の幅及び高さを指定しており、これにより普通ボタンＰＢ１１及び激しくボタンＰＢ１２の表示領域の位置と大きさを管理するようになされている。
【００７１】
またＳＭＩＬファイルＳＦ２は、タグＴＡＧ１２により、普通ボタンＰＢ１１及び激しくボタンＰＢ１２の識別名、普通ボタンＰＢ１１及び激しくボタンＰＢ１２を表示するためのボタンイメージ、普通ボタンＰＢ１１及び激しくボタンＰＢ１２をページＰＧ内で表示すべき領域、普通ボタンＰＢ１１及び激しくボタンＰＢ１２が押下されたとき次に読み出すべきＳＭＩＬファイルＳＦ３又はＳＦ４を指定している。
【００７２】
これにより閲覧コンピュータ５５の閲覧制御部１０３は、普通ボタンＰＢ１１又は激しくボタンＰＢ１２が押下操作された場合に、普通ボタンＰＢ１１又は激しくボタンＰＢ１２に対する押下操作に応じてＳＭＩＬファイルＳＦ３又はＳＦ４を読み出すことにより、２ページ目を構成する少なくとも２通りの実内容画面Ｐ２２、Ｐ２３（後述する）を提供し得るようになされている。
【００７３】
ステップＳＰ４において閲覧制御部１０３は、実内容画面Ｐ２１における普通ボタンＰＢ１１又は激しくボタンＰＢ１２の何れかのボタンが押下操作されたか否かを判定し、否定結果が得られると、ステップＳＰ４に戻って普通ボタンＰＢ１１又は激しくボタンＰＢ１２の何れかが押下操作されるまで待ち受けるのに対し、肯定結果が得られると普通ボタンＰＢ１１又は激しくボタンＰＢ１２の何れかが押下操作されたので、次のステップＳＰ５へ移る。
【００７４】
ステップＳＰ５において閲覧制御部１０３は、普通ボタンＰＢ１１及び激しくボタンＰＢ１２のうち激しくボタンＰＢ１２が押下操作されたか否かを判定し、否定結果が得られると、このことは激しくボタンＰＢ１２ではなく普通ボタンＰＢ１１が押下操作されたことになり、次のステップＳＰ６に移る。
【００７５】
ステップＳＰ６において閲覧制御部１０３は、普通ボタンＰＢ１１が押下操作されたことに対応して、次のＳＭＩＬファイルＳＦ３のダウンロード要求命令Ｑ１を受け取ると、ＳＭＩＬファイルサーバ５３からＳＭＩＬファイルＳＦ３を取得して読み込み、続いてＳＭＩＬファイルサーバ５３からムービーコミックスを形成するために必要とする静止画ファイルＩＭ７〜ＩＭ１２を取得することにより、マルチメディアコンテンツ再生プログラムによる表示画面上に、図２３に示すようなコマＣ７〜Ｃ１２及び戻るボタンＰＢ２１から構成される２ページ目の実内容画面Ｐ２２を表示した後、次のステップＳＰ８へ移って処理を終了する。
【００７６】
これに対してステップＳＰ５で肯定結果が得られると、このことは激しくボタンＰＢ１２が押下操作されたことを表しており、このとき閲覧制御部１０３は次のステップＳＰ７へ移る。
【００７７】
ステップＳＰ７において閲覧制御部１０３は、激しくボタンＰＢ１２が押下操作されたことに対応して、次のＳＭＩＬファイルＳＦ４のダウンロード要求命令Ｑ１を受け取ると、ＳＭＩＬファイルサーバ５３からＳＭＩＬファイルＳＦ４を取得して読み込み、続いてＳＭＩＬファイルサーバ５３からムービーコミックスを形成するために必要とする静止画ファイルＩＭ７〜ＩＭ１２を取得することにより、マルチメディアコンテンツ再生プログラムによるムービーコミックス表示画面上に、図２４に示すような拡大されたコマＣ１３、当該コマＣ１３に比して小さなサイズのコマＣ１４〜Ｃ１８、及び戻るボタンＰＢ３１から構成される２ページ目の実内容画面Ｐ２３を表示した後、次のステップＳＰ８へ移って処理を終了する。
【００７８】
因みに、ＳＭＩＬファイルＳＦ３及びＳＦ４は、オーサリングコンピュータ５２でオーサリング処理が行われた結果生成されるファイルであり、ＳＭＩＬファイルＳＦ４については、コマＣ１３を除く残りのコマＣ１４〜Ｃ１８がＳＭＩＬファイルＳＦ３によるコマＣ７よりも小さく設定されている。
【００７９】
これにより閲覧制御部１０３は、普通ボタンＰＢ１１が押下操作された後に表示する２ページ目の実内容画面Ｐ２２と、激しくボタンＰＢ１２が押下操作された後に表示する２ページ目の実内容画面Ｐ２３とでは、表示している静止画の内容自体は同じであるが、各コマの大きさが異なって表示することになるので、ユーザに対する印象を大きく変化させ得るようになされている。
【００８０】
この場合も閲覧制御部１０３は、実内容画面Ｐ２２又はＰ２３におけるコマがクリックされると、そのコマに対応付けられた動画ファイルをストリーミングサーバ５４からダウンロードして、ストリーム再生処理を実行し得るようになされている。
【００８１】
（６）動作及び効果
以上の構成において、閲覧コンピュータ５５は画像表示枠を形成する複数のコマＣ１〜Ｃ６、普通ボタンＰＢ１１及び激しくボタンＰＢ１２が設けられた実内容画面Ｐ２１をＳＭＩＬファイルサーバ５４からダウンロードして閲覧表示部１０１に表示した状態で、ユーザにより普通ボタンＰＢ１１又は激しくボタンＰＢ１２に対する押下操作を待ち受ける。
【００８２】
そして閲覧コンピュータ５５は、ユーザにより押下操作された普通ボタンＰＢ１１又は激しくボタンＰＢ１２に応じたＳＭＩＬファイルＳＦ３又はＳＦ４をＳＭＩＬファイルサーバ５４に要求し、そのＳＭＩＬファイルＳＦ３又はＳＦ４を取得し、当該ＳＭＩＬファイルＳＦ３又はＳＦ４に応じた実内容画面Ｐ２１又はＰ２２を表示する。
【００８３】
このとき閲覧コンピュータ５５は、ユーザにより普通ボタンＰＢ１１が押下操作されたときはＳＭＩＬファイルＳＦ３に対応した実内容画面Ｐ２２（図２３）を表示することになるので、一つ前の実内容画面Ｐ２１（図２１）と次の実内容画面Ｐ２２との間ではコマの大きさや配置が大きく変わることがない。
【００８４】
しかしながら閲覧コンピュータ５５は、ユーザにより激しくボタンＰＢ１２が押下操作されたときはＳＭＩＬファイルＳＦ４に対応した実内容画面Ｐ２３（図２４）を表示することになるので、一つ前の実内容画面Ｐ２１（図２１）と次の実内容画面Ｐ２３との間ではコマの大きさや配置が大きく変化し、普通ボタンＰＢ１１が押下操作されたときの実内容画面Ｐ２２に比べて、実内容画面Ｐ２３によるコマの強烈な印象をユーザに与えることができる。
【００８５】
すなわち閲覧コンピュータ５５は、実内容画面Ｐ２１の中に普通ボタンＰＢ１１及び激しくボタンＰＢ１２を設け、ユーザの好みにより任意に選択させるようにしたことにより、一つのストーリーの中で複数種類の表示形態でなる実内容画面Ｐ２２又はＰ２３を提示することができるので、一段とエンターテインメント性に優れたムービーコミックスを提供することができる。
【００８６】
またオーサリングコンピュータ５２は、ＳＭＩＬファイル形式のＳＭＩＬファイルＳＦを生成するようにしたことにより、当該ＳＭＩＬファイルＳＦをテキストエディタで編集することができるので、当該ＳＭＩＬファイルＳＦに設定した表示形態（コマの位置及び大きさ等）を容易に変更することができる。
【００８７】
さらにオーサリングコンピュータ５２は、オーサリングプログラムによりソフトウェア的に普通ボタンＰＢ１１及び激しくボタンＰＢ１２を生成して表示することができるので、ハードウェア的に普通ボタンＰＢ１１及び激しくボタンＰＢ１２を生成して表示する場合に比べて、ボタン数に応じた複数の表示形態からなる実内容画面を容易に提供することができる。
【００８８】
以上の構成によれば、実内容画面Ｐ２１の中からユーザの好みに合わせて任意に選択された普通ボタンＰＢ１１又は激しくボタンＰＢ１２に対応する実内容画面Ｐ２２又はＰ２３をＳＭＩＬファイルサーバ５４から当該閲覧コンピュータ５５へダウンロードして表示させることができるので、ユーザの好みに合わせた表示形態でなる複数種類の実内容画面Ｐ２２又はＰ２３を提供し得るエンターテインメント性に優れたコンテンツ配信システム５を実現することができる。
【００８９】
（７）他の実施形態
なお上述の実施の形態においては、ムービーコミックス表紙画面Ｐ２０、１ページ目の実内容画面Ｐ２１、２ページ目の実内容画面Ｐ２２、Ｐ２３の合計４ページ構成のムービーコミックスにおける１ページ目の実内容画面Ｐ２１にのみ普通ボタンＰＢ１１及び激しくボタンＰＢ１２を設けるようにした場合について述べたが、本発明はこれに限らず、ムービーコミックス表紙画面Ｐ２０や、実内容画面Ｐ２２、Ｐ２３に対して普通ボタンＰＢ１１及び激しくボタンＰＢ１２を設けるようにしても良い。
【００９０】
また上述の実施の形態においては、ＳＭＩＬファイルサーバ５４がＳＭＩＬファイルＳＦと静止画ファイルＩＭ０〜ＩＭｎをＳＭＩＬ記憶部８２に保存し、ストリーミングサーバ５３が動画ファイルＶ１〜Ｖｎをストリーミング記憶部９２に保存するようにした場合について述べたが、本発明はこれに限らず、ＳＭＩＬファイルサーバ５４とストリーミングサーバ５３とが一体化された１つのサーバの記憶部にＳＭＩＬファイルＳＦと静止画ファイルＩＭ０〜ＩＭｎと動画ファイルＶ１〜Ｖｎとを保存するようにしても良い。
【００９１】
さらに上述の実施の形態においては、２ページ目の実内容画面Ｐ２２、Ｐ２３の各コマＣ７〜Ｃ１２、Ｃ１３〜Ｃ１８に配置される静止画ファイルＩＭ１〜ＩＭ１２及び当該静止画ファイルＩＭ１〜ＩＭ１２がクリックされた後再生される動画ファイルＶ１〜Ｖ１２が全て同一の内容であるようにした場合について述べたが、本発明はこれに限らず、実内容画面Ｐ２２と実内容画面Ｐ２３との間で再生される動画ファイルＶ１〜Ｖ１２の内容が異なるようにしても良い。
【００９２】
さらに上述の実施の形態においては、例えばクリックしたコマＣ１の静止画に関連する動画ファイルＶ１だけを再生するようにした場合について述べたが、本発明はこれに限らず、クリックしたコマＣ１だけでなく、コマＣ１以外の他のコマＣ２に関連する動画ファイルＶ２も同時に再生するようにしても良い。
【００９３】
例えば、閲覧コンピュータ５５は、図２５（Ａ）に示すようにコマＣ７１内の右側を向いている少年の静止画がクリックされたことを認識すると、コマＣ７１に関連する動画ファイルを再生することにより、図２５（Ｂ）に示すようにコマＣ７１の少年が右側から左側へ次第に向きを変えるような動画像を表示すると同時に、コマＣ７２〜Ｃ７４に関連する動画ファイルを再生することにより、当該コマＣ７２〜Ｃ７４についても同時に右側から左側へ向きを変える（パンニングする）ような動画像をコマＣ７１と同じタイミングで表示することもできる。
【００９４】
さらに上述の実施の形態においては、例えば１ページ目の実内容画面Ｐ２１におけるコマＣ１〜Ｃ６内にある静止画がクリックされたことに応じて、動画ファイルＶ１〜Ｖ６を再生するようにした場合について述べたが、本発明はこれに限らず、実内容画面Ｐ２１を表示すると同時に各コマＣ１〜Ｃ６に関連した動画ファイルＶ１〜Ｖ６を全て同時に再生するようにしても良い。
【００９５】
さらに上述の実施の形態においては、実内容画面Ｐ２１〜Ｐ２３を表示する時にコマＣ１〜Ｃ１８に静止画を表示するようにした場合について述べたが、本発明はこれに限らず、実内容画面Ｐ２１〜Ｐ２３を表示すると同時にコマＣ１〜Ｃ１８に関連する動画像を表示するようにしてもよい。
【００９６】
例えば、閲覧コンピュータ５５は、実内容画面Ｐ２１〜Ｐ２３の表示時にコマＣ１〜Ｃ１８に関連する動画ファイルのダイジェスト版の動画像を表示すれば、コマＣ１〜Ｃ１８を再生する必要があるか否かをユーザに判断させることができる。
【００９７】
さらに上述の実施の形態においては、オーサリングプログラムによりＳＭＩＬファイルＳＦを生成してムービーコミックスの再生方法を定義するようにした場合について述べたが、本発明はこれに限らず、例えばＦＬＡＳＨ（商標）と呼ばれる所定のプログラムにより所定形式のファイルを生成してムービーコミックスのようなマルチメディアコンテンツの再生方法を定義するようにしても良い。
【００９８】
さらに上述の実施の形態においては、実内容画面Ｐ２１におけるコマＣ１〜Ｃ６の静止画をクリックすることによりストリーミング再生するようにした場合について述べたが、本発明はこれに限らず、クリックによるストリーミング再生を実行することなく、コマＣ１〜Ｃ６に静止画だけを表示し、次ページの実内容画面Ｐ２２、Ｐ２３へ移り変わるようにしても良い。
【００９９】
さらに上述の実施の形態においては、実内容画面Ｐ２１のコマＣ１〜Ｃ６に動画ファイルＶ１〜Ｖ６の１フレーム目を構成する静止画を表示するようにした場合について述べたが、本発明はこれに限らず、動画ファイルＶ１〜Ｖ６とは一切無関係の静止画を表示したり、動画ファイルＶ１〜Ｖ６の内容を文章として表したテキストを表示するようにしても良い。
【０１００】
さらに上述の実施の形態においては、ページ画面保持手段としてのＳＭＩＬ記憶部９２、次ページ画面保持手段としてのＳＭＩＬ記憶部９２、画面配信制御手段としてのＳＭＩＬ制御部９１によりコンテンツ提供装置としてのＳＭＩＬファイルサーバ５４を構成し、表示手段としての閲覧表示部１０１、操作手段としての閲覧操作部１０２、通信手段としての閲覧制御部１０３及び閲覧通信処理部１０６にコンテンツ表示装置を構成することにより本発明のコンテンツ配信システムを実現するようにした場合について述べたが、本発明はこれに限らず、その他種々の回路構成でなるコンテンツ提供装置及びコンテンツ表示装置によってコンテンツ配信システムを実現するようにしても良い。
【産業上の利用可能性】
【０１０１】
本発明のコンテンツ提供装置、コンテンツ表示装置及びコンテンツ配信システムは、例えば上述したムービーコミックスのようなマルチメディアコンテンツを表示するパーソナルコンピュータ、携帯電話、電子ブックやＰＤＡ（Personal Digital Assistant）等のその他種々の電子機器に適用することができる。
【図面の簡単な説明】
【０１０２】
【図１】ムービーコミックス表示内容を示す略線図である。
【図２】ＳＭＩＬファイルのソースの説明に供する略線図である。
【図３】ズームによる効果の説明に供する略線図である。
【図４】フォーカスによる効果の説明に供する略線図である。
【図５】コンテンツ配信システムの構成を示す略線図である。
【図６】動画編集コンピュータの回路構成を示す略線的ブロック図である。
【図７】オーサリングコンピュータの回路構成を示す略線的ブロック図である。
【図８】ストリーミングサーバの回路構成を示す略線的ブロック図である。
【図９】ＳＭＩＬファイルサーバの回路構成の略線的ブロック図である。
【図１０】閲覧コンピュータの回路構成の略線的ブロック図である。
【図１１】動画ファイルの生成方法の説明に供する略線図である。
【図１２】動画ファイルの編集方法の説明に供する略線図である。
【図１３】オーサリング処理の説明に供する略線図である。
【図１４】ムービーコミックスを構成する各種ファイルのアップロードの説明に供する略線図である。
【図１５】ＳＭＩＬファイルのダウンロードの説明に供する略線図である。
【図１６】静止画ファイルのダウンロードの説明に供する略線図である。
【図１７】ムービーコミックの形成方法の説明に供する略線図である。
【図１８】動画ファイルのストリーミングの説明に供する略線図である。
【図１９】ムービーコミックス表示制御処理手順を示すフローチャートである。
【図２０】ムービーコミックス表紙画面を示す略線図である。
【図２１】実内容画面（１ページ目）を示す略線図である。
【図２２】本発明のＳＭＩＬファイルのソースを示す略線図である。
【図２３】実内容画面（２ページ目（普通））を示す略線図である。
【図２４】実内容画面（２ページ目（激しく））を示す略線図である。
【図２５】他の実施の形態におけるパンニング表示を示す略線図である。
【符号の説明】
【０１０３】
５……コンテンツ配信システム、５１……動画編集コンピュータ、５２……オーサリングコンピュータ、５３……ストリーミングサーバ、５４……ＳＭＩＬファイルサーバ、５５……閲覧コンピュータ。
【図１】
2007148673.tif 000003
【図２】
2007148673.tif 000004
【図３】
2007148673.tif 000005
【図４】
2007148673.tif 000006
【図５】
2007148673.tif 000007
【図６】
2007148673.tif 000008
【図７】
2007148673.tif 000009
【図８】
2007148673.tif 000010
【図９】
2007148673.tif 000011
【図１０】
2007148673.tif 000012
【図１１】
2007148673.tif 000013
【図１２】
2007148673.tif 000014
【図１３】
2007148673.tif 000015
【図１４】
2007148673.tif 000016
【図１５】
2007148673.tif 000017
【図１６】
2007148673.tif 000018
【図１７】
2007148673.tif 000019
【図１８】
2007148673.tif 000020
【図１９】
2007148673.tif 000021
【図２０】
2007148673.tif 000022
【図２１】
2007148673.tif 000023
【図２２】
2007148673.tif 000024
【図２３】
2007148673.tif 000025
【図２４】
2007148673.tif 000026
【図２５】
2007148673.tif 000027